(57)【要約】【課題】２つの筐体を重ねると主操作部を操作できなくなるような場合に、ユーザーがその操作方法を覚えていなくとも、画像表示面の案内表示に従って、筐体の側面に設けた補助操作キーにより容易に操作することができるようにした、重ね型携帯端末装置を提供する。【解決手段】第１筐体３２の画像表示面１２が配置される面と隣り合う側面３８及び第２筐体３４の主操作部１６が配置される面と隣り合う側面４０のいずれか一方又は両方に補助操作キー４２，４４を備え、第１筐体３２と第２筐体３４を重ねた状態のときには、画像表示面１２に補助操作キー４２，４４の操作内容を示す案内表示７０ａ，７０ｂ，７２ａ，７２ｂ，７４ａ，７４ｂ，７６ａ，７６ｂ，７８ａ，７８ｂが表示されるようにした。【選択図】　　　図１
2004128675.tif 000002
【特許請求の範囲】
【請求項１】
少なくとも表示部を有する第１筐体と、少なくとも主操作部を有する第２筐体とが開閉可能に連結され、前記主操作部は閉状態にて前記第１筐体により塞がれ且つ開状態にて外側に露出するとともに、前記表示部の表示面は閉状態及び開状態のいずれの状態でも外側に露出させることが可能な重ね型携帯端末装置であって、該重ね型携帯端末装置は前記閉状態にて前記第１筐体と前記第２筐体の互いに対向する面以外の面に補助操作部を備え、少なくとも前記閉状態のとき、前記表示部の表示面に前記補助操作部の操作内容を示す案内表示を表示するようにしたことを特徴とする重ね型携帯端末装置。
【請求項２】
前記表示部の表示面には、前記補助操作部の数に対応した数の案内表示が表示されることを特徴とする請求項１に記載の重ね型携帯端末装置。
【請求項３】
前記案内表示は前記表示面内の所定領域に表示されることを特徴とする請求項１又は請求項２に記載の重ね型携帯端末装置。
【請求項４】
前記案内表示は前記表示面内の同一位置に表示されることを特徴とする請求項１又は請求項２に記載の重ね型携帯端末装置。
【請求項５】
前記補助操作部は前記第１筐体の表示部が配置される面と隣り合う側面及び／又は前記第２筐体の主操作部が配置される面と隣り合う側面に有することを特徴とする請求項１乃至請求項４のいずれかに記載の重ね型携帯端末装置。
【請求項６】
前記表示面内に表示される案内表示と前記補助操作部とは一対一の対応関係にあることを特徴とする請求項１乃至請求項５のいずれかに記載の重ね型携帯端末装置。
【請求項７】
前記主操作部は二次元的な操作が可能なキーを有し、前記補助操作部は一次元的な操作が可能なレバーを有することを特徴とする請求項１乃至請求項６のいずれかに記載の重ね型携帯端末装置。
【発明の詳細な説明】
【０００１】
【発明の属する技術分野】
本発明は、携帯電話機やＰＤＡ（Ｐｅｒｓｏｎａｌ　Ｄｉｇｉｔａｌ　Ａｓｓｉｓｔａｎｔｓ）等の重ね型携帯端末装置に関し、具体的には、互いに重ね合わせ可能に連結された複数の筐体から構成され、いずれかの筐体に備える表示部の表示面を重ねた状態及びそれ以外の状態でも外側に露出させ、前記いずれの状態でも表示面に出力情報を表示させることが可能な重ね型携帯端末装置に関するものである。
【０００２】
【従来の技術】
従来、２つの筐体を折り畳むことが可能な携帯端末装置として、図１３に示すような折り畳み型携帯電話機２が一般的に知られている。この折り畳み型携帯電話機２は、一方の筐体４の内側面１０に出力情報を表示するＬＣＤ（液晶ディスプレイ）等の表示面１２及びスピーカー１３が設けられており、他方の筐体６の内側面１４に主操作部１６及びマイク１５が設けられている。
【０００３】
主操作部１６には、表示面１２に表示される項目を選択することができるように、上下左右の方向に指示することができる十字キー１８やテンキー、その他各種のキーが配置されている。
【０００４】
しかしながら、図１３に示すような折り畳み型携帯電話機２においては、一方の筐体４と他方の筐体６が折り畳まれているときには、これを開いてからでなければ表示面１２を見ることができず、折り畳んだ状態では表示面１２に情報を出力して閲覧することができないといった課題があった。そこで、このような手間がかかって煩わしいという問題を解決するために、折り畳んだ状態又はこれに相当する状態にした場合であっても、表示面１２が外側に向くようにしたものがある。
【０００５】
このような携帯端末装置としては、例えば特開２００２−１４１９８４号公報に記載されているような重ね型携帯端末装置がある。この重ね型携帯端末装置は、連結される２つの筐体を開いた状態では、図１３に示す折り畳み型携帯電話機２の姿勢と同様に、一方の筐体に設けられている表示面と、他方の筐体に設けられている主操作部が、共に同じ側を向いている。
【０００６】
しかしながら、このような従来の重ね型携帯端末装置は、前記折り畳み型携帯電話機２とは異なり、２つの筐体の連結部で、一方の筐体を１８０度捻りながら折り畳んで重ねることができる構造になっているので、表示面が外側に向くようにして２つの筐体を重ねることができる。
【０００７】
ところが、ユーザーは表示面を見ることができても、２つの筐体が重ねられた状態のままでは、操作部が表示面側の筐体により覆われて隠れてしまうため、その操作部を操作することができない。このような問題を解決するため、特開２００２−３３８０９号公報に記載されている発明のように、補助操作キーを筐体側面に配置したものがある。
【０００８】
【発明が解決しようとする課題】
しかしながら、筐体側面に補助操作キーを設ける場合、主操作部と比較して、キーの数や種類が制限されることとなり、筐体側面に配置した補助操作キーによって行う操作は、主操作部により行う操作とは、その操作方法が異なることとなるため、ユーザーは、その操作方法を新たに覚えなければならない。また、重ね型携帯端末装置における各種の異なる機能を利用する場合には、同一の補助操作キーであっても、各種の機能毎に異なる役割を担う場合があるため、一層ユーザーを混乱させるという問題があった。
【０００９】
そこで本発明は、２つの筐体を重ねると主操作部が操作できなくなるような場合に、ユーザーがその複雑な操作方法を覚えていなくとも、表示面の案内表示に従って、補助操作キーにより容易に操作することができるようにした、重ね型携帯端末装置を提供することを課題とするものである。
【００１０】
【課題を解決するための手段】
即ち、上記課題に鑑み、請求項１に係る発明は、少なくとも表示部を有する第１筐体と、少なくとも主操作部を有する第２筐体とが開閉可能に連結され、前記主操作部は閉状態にて前記第１筐体により塞がれ且つ開状態にて外側に露出するとともに、前記表示部の表示面は閉状態及び開状態のいずれの状態でも外側に露出させることが可能な重ね型携帯端末装置であって、この重ね型携帯端末装置は前記閉状態にて第１筐体と第２筐体の互いに対向する面以外の面に補助操作部を設け、少なくとも前記閉状態のときには、前記表示部の表示面に前記補助操作部の操作内容を示す案内表示が表示されるようにしたことを特徴とする。
【００１１】
請求項２に係る発明は、請求項１に記載の重ね型携帯端末装置であって、前記表示部の表示面に、前記補助操作部の数に対応した数の案内表示が表示されるようにしたことを特徴とする。
【００１２】
請求項３に係る発明は、請求項１又は請求項２に記載の重ね型携帯端末装置であって、前記案内表示は前記表示面内の所定領域に表示されるようにしたことを特徴とする。
【００１３】
請求項４に係る発明は、請求項１又は請求項２に記載の重ね型携帯端末装置であって、前記案内表示は前記表示面内の同一位置に表示されるようにしたことを特徴とする。
【００１４】
請求項５に係る発明は、請求項１乃至請求項４のいずれかに記載の重ね型携帯端末装置であって、前記補助操作部を前記第１筐体の表示部が配置される面と隣り合う側面及び／又は前記第２筐体の主操作部が配置される面と隣り合う側面に設けたことを特徴とする。
【００１５】
請求項６に係る発明は、請求項１乃至請求項５のいずれかに記載の重ね型携帯端末装置であって、前記表示面内に表示される案内表示と前記補助操作部とは一対一の対応関係を持たせたことを特徴とする。
【００１６】
請求項７に係る発明は、請求項１乃至請求項６のいずれかに記載の重ね型携帯端末装置であって、前記主操作部は二次元的な操作が可能なキーを有し、前記補助操作部は一次元的な操作が可能なレバーを有することを特徴とする。
【００１７】
このような重ね型携帯端末装置によれば、２つの筐体を重ねると主操作部が操作できなくなるような場合には、ユーザーがその操作方法を覚えていなくとも、表示面の案内表示に従って、筐体に設けた補助操作部により容易に操作することができる。
【００１８】
【発明の実施の形態】
以下、本発明に係る重ね型携帯端末装置の実施の形態について、図面に基づいて具体的に説明する。
図１ないし図１２は、本発明の重ね型携帯端末装置の一実施の形態に係る、重ね型携帯電話機３０について説明するために参照する図である。これらの図に示す重ね型携帯電話機３０は、従来の折り畳み型携帯電話機２と同様の部分には同じ符号を付して説明し、従来と同様の構成についての重複する説明は省略するものとする。
【００１９】
この重ね型携帯電話機３０は、図１及び図２に示すように、第１筐体３２と第２筐体３４で構成され、第１筐体３２と第２筐体３４を貫く方向に設けられた軸３６により連結されている。
【００２０】
重ね型携帯電話機３０は、第１筐体３２と第２筐体３４を重ねた状態でも表示面１２を外側から見ることができるように、第１筐体３２の第２筐体３４と反対側の面に表示部１１を設けてあり、また、操作することもできるように、第１筐体３２及び第２筐体３４のそれぞれの側面３８，４０には、補助操作部としてのサイドキー４２と３方向レバー４４が設けられている。
【００２１】
なお、１３ａ及び１３ｂはそれぞれ第１筐体３２の表示部１１が配置された面に設けられたスピーカーで、表示面１２を挟んで上下に配置されており、また、１５は第２筐体３４の主操作部１６が配置された面に設けられたマイクである。
【００２２】
重ね型携帯電話機３０は、第１筐体３２と第２筐体３４が重ねられた状態から、軸３６を中心にして、第１筐体３２を矢印ａに示すように１８０度回動することにより，図３及び図４に示すように、第２筐体３４に設けられた主操作部１６が外側に見える、開いた状態にすることができる。また、この時、表示面１２は主操作部１６と略同じ方向を向いた状態で回動するため、開いた状態でも表示面１２を外側から見ることができる。
【００２３】
なお、本実施の形態に係る重ね型携帯電話機３０は、第１筐体３２が軸３６を中心にして回動するような構造としたが、これとは別の実施の形態として、レール等を設けて、図１に示した状態から第１筐体３２が、第２筐体３４に対して矢印ｂに示す方向にスライドする構造としてもよい。
【００２４】
或は、特開２００２−１４１９８４号公報に記載された発明のように、第１筐体３２と第２筐体３４が連結されて、この連結部が折り畳み動作と捻り動作を共にすることができるような構造としたものであってもよい。
【００２５】
したがって、重ね型携帯端末装置をこれらのような構造としても、本実施の形態に係る重ね型携帯電話機３０と同様に、図１及び図２に示すような状態や、図３及び図４に示すような状態にすることができる。このため、本発明では、図１及び図２に示すような状態を「重ねた状態」又は「閉状態」といい、図３及び図４に示すような状態を「開状態」ということとする。
【００２６】
次に、主操作部１６及び補助操作部であるサイドキー４２と３方向レバー４４について説明する。重ね型携帯端末装置３０は、図３に示すように、第１筐体３２と第２筐体３４が開状態では、第２筐体３４の内側に設けられている、十字キー１８、テンキー、その他のキーからなる主操作部１６を操作することができる。このとき誤動作を防止するために、サイドキー４２及び３方向レバー４４によってされる操作は無効となるようにロックする。
【００２７】
なお、本実施形態では、開状態においてサイドキー４２及び３方向レバー４４の双方をロックするようにしたが、いずれか一方のキーのみをロック可能としても良く、あるいは双方のキーをロックしないようにしても構わない。
【００２８】
また、重ね型携帯電話機３０は、図４に示すように、その背面にカメラ４６、鏡４８、録画用マイク５０を備えており、これらは、第１筐体３２と第２筐体３４が開いている状態でも、或は重ねられている状態でも動作することができる。
【００２９】
また、図５に示すように、第１筐体３２と第２筐体３４が重ねられている状態で使用する３方向レバー４４は、上方向（矢印ｃ）及び下方向（矢印ｄ）に動かすことができ、そしてセンター方向に押下（矢印ｅ）することができるようになっている。
【００３０】
したがって閉状態において、図９に示すように、表示面１２に表示されるメニュー画面７４の項目が上下方向に配列されている場合には、３方向レバー４４の動作を、上方向（矢印ｃ）及び下方向（矢印ｄ）に動かしたときには項目の選択に、センター方向に押下（矢印ｅ）したときには選択した項目の決定に割り当てることができる。
【００３１】
図６は、重ね型携帯電話機３０の回路図を示し、符号６０に示す各種機能部は制御部６２の下で動作するようになっている。この回路において、状態検出手段６４は、図１ないし図４において図示されていないが、第１筐体３２と第２筐体３４が閉状態にあるか、或は開状態にあるのかを検出するものである。このような状態検出手段６４には、例えば第１筐体３２の回動により導通する接点を設けるようにしてもよいし、機械的スイッチやセンサーを設けるようにしてもよい。
【００３２】
第１筐体３２と第２筐体３４が開かれた場合（開状態）には、状態検出手段６４は制御部６２にその旨の信号出力をする。制御部６２はこの信号を受けて、サイドキー４２及び３方向レバー４４が操作されてもその操作が無効となるようにロックする。
【００３３】
また、第１筐体３２と第２筐体３４が重ねられた状態（閉状態）から、第１筐体３２が１８０°回動して、重ね型携帯電話機３０が開いた状態になると、表示面１２の画像の上下の向きが逆になるので、そのようなときは画像の上下が１８０°反転して表示されるようになっている。
【００３４】
また、第１筐体３２と第２筐体３４が重ねられた状態（閉状態）となった場合には、状態検出手段６４は制御部６２にその旨の信号を出力して、サイドキー４２及び３方向レバー４４の作動無効のロックを解除して操作を有効化する。
【００３５】
さらに、この重ね型携帯電話機３０は、第１筐体３２と第２筐体３４の開状態は勿論のこと、閉状態でも各種機能を動作させることができるようになっており、特に通話を行うこともできる。
【００３６】
すなわち、開状態にて重ね型携帯電話機３０に着信があった場合、２つのスピーカー１３ａ，１３ｂより独立した着信音が鳴り、ステレオ効果をもった着信音が放音され、主操作部１６のキーを押下すると、着信音が止まり、スピーカー１３ｂが不動作となるとともに、スピーカー１３ａが受話スピーカーとなり、またマイク１５が動作して通話を行うことができ、また、閉状態にて重ね型携帯電話機３０に着信があった場合、開状態と同様に２つのスピーカー１３ａ，１３ｂよりステレオ効果をもった着信音が放音され、補助操作部の３方向レバー４４をセンター方向に押下すると、着信音が止まり、スピーカー１３ａが不動作となるとともに、スピーカー１３ｂが受話スピーカーとなり、またマイク１５が動作して通話を行うことができるようになっている。
【００３７】
次に、図７ないし図１１は、閉状態において重ね型携帯電話機３０の各種の機能を使用する場合に、表示面１２に表示される画像を示したものである。すなわち、図７は、重ね型携帯電話機３０が一定時間以上操作されなかった場合等に表示される待受け画面７０である。図８は、アドレス帳の機能を利用するときに、氏名の５０音順に、電話番号や住所等を検索することができるアドレス帳画面７２である。
【００３８】
図９は、重ね型携帯電話機３０に設けられた各種機能を使用するときに、いずれの機能を使用するかを項目別に上下方向に並べたメニュー画面７４であり、これらは選択及び決定することができるようになっている。図１０は、Ｅメールの機能を使用するときに、その機能の中のさらに詳細な項目を表示するためのＥメールメニュー画面７６である。図１１は、アラーム機能を利用した場合に、ユーザーが設定した時刻にアラーム音が発生したときに表示されるアラーム画面７８である。
【００３９】
図７ないし図１１に示す、待受け画面７０等の各種画面の下段７１ｃには、サイドキー４２と３方向レバー４４の操作内容を示す案内表示７０ａ，７０ｂ等が表示されるようになっている。例えば、図７に示す待受け画面７０において、下段左側の「アドレス帳」の案内表示７０ａは、サイドキー４２の操作内容を示しており、下段中央の「メニュー」の案内表示７０ｂは、３方向レバー４４をセンター位置で押下したとき（図５中、矢印ｅ）の操作内容を示している。
【００４０】
このように、図７ないし図１１に示す、待受け画面７０等の各種画面の下段７１ｃ等には、その上段７１ａ等及び中段７１ｂ等に表示される画像に関わらず、常にサイドキー４２と３方向レバー４４の操作内容に対応する案内表示７０ａ，７０ｂ等が一対一の対応関係で表示されるようになっている。
【００４１】
そして、サイドキー４２の操作内容についての案内表示７０ａ，７２ａ，７４ａ，７６ａ，７８ａは、常に下段左側の位置に、略矩形の枠に囲まれて表示され、３方向レバー４４をセンター位置で押下したときの操作内容についての案内表示７０ｂ，７２ｂ，７４ｂ，７６ｂ，７８ｂは、常に下段中央の位置に、丸印に続いて表示されるようになっている。
【００４２】
このように、常にサイドキー４２と３方向レバー４４の操作内容を示す案内表示７０ａ，７０ｂ等が、各種画面の所定領域である下段７１ｃ，７３ｃ，７５ｃ，７７ｃ，７９ｃの同一位地に表示されるようになっているので、ユーザーは、例えば待受け画面７０の下段左側の案内表示７０ａに従ってサイドキー４２を押下すると、表示面１２に表示される画面は、図８に示すアドレス帳画面７２に遷移し、また、下段中央の案内表示７０ｂに従って３方向レバー４４をセンター位置で押下すると、図９に示すメニュー画面７４に遷移することを、一見して認識することができる。
【００４３】
次に、図１２の遷移図に基づいて、重ね型携帯電話機３０の表示面１２に表示される画面の遷移について説明する。
【００４４】
重ね型携帯電話機３０の第１筐体３２と第２筐体３４が重ねられている状態で、一定時間以上操作されていない場合には、表示面１２には、図７に示すように中段７１ｂに時刻を表示した待受け画面７０が表示されている。この状態で、ユーザーが何等の操作も行わなければ、表示面１２にはそのまま待受け画面７０が表示され続ける。なお、待受け画面７０のままさらに一定時間以上、何等かの操作及び着信等がない場合、消費電力を抑えるため、表示面１２が消えるようにしても構わない。
【００４５】
アドレス帳の機能を使用したい場合には、待受け画面７０の下段左側の案内表示７０ａに対応するサイドキー４２を押下すればよい（図１２中、矢印ｆ）。この操作により、表示面１２には，図８に示すアドレス帳画面７２が表示される。
【００４６】
また、アドレス帳画面７２が表示されている状態で、その下段左側の案内表示７２ａに対応するサイドキー４２を押下した場合には、表示面１２には再び待受け画面７０が表示されるようになる（図１２中、矢印ｇ）。
【００４７】
また、アドレス帳画面７２が表示されている状態で、目的とする人物のデータを探そうとする場合に、その人物の氏名の頭文字が「あ行」のときには、図８の中段７３ｂに表示されているように、リストの「あ行」が選択された状態のまま、下段中央の案内表示７２ｂに従って３方向レバー４４をセンター位置で押下し（図１２中、矢印ｈ）、「あ行」を決定する。
【００４８】
また、その人物の氏名の頭文字が「あ行」以外の他の行である場合には、３方向レバー４４を上下方向に動かし（図５中、矢印ｃ及び矢印ｄ）、アドレス帳画面７２の中段７３ｂに表示される出力情報を見ながら、「か行」以降の該当するものを選択した後、下段中央の案内表示７２ｂに従って３方向レバー４４をセンター位置で押下して、選択する「行」を決定する。
【００４９】
また、操作を誤って、「か行」を選択しようとしたところを、「あ行」を選択してしまったような場合には（図１２中、矢印ｈ）、図示しないが「あ行」を選択及び決定した後に表示される画面においても、その下段７３ｃに案内表示が表示されるので、これに従いサイドキー４２を押下して、アドレス帳画面７２の最初の表示状態に戻すことができる（図１２中、矢印ｉ）。
【００５０】
次に、表示面１２に待受け画面７０が表示されている状態から、アドレス帳以外の機能を使用したい場合には、待受け画面７０の下段中央の案内表示７０ｂに対応する３方向レバー４４をセンター位置で押下する（図１２中、矢印ｊ）。この操作により、表示面１２には，図９に示すメニュー画面７４が表示される。ユーザーは、このメニュー画面７４から使用したい機能の項目を選択及び決定して、その項目に対応する各機能の画面に遷移させることができる。
【００５１】
また、メニュー画面７４が表示されている状態で、その下段左側の案内表示７４ａに対応するサイドキー４２を押下した場合には、再び表示面１２には待受け画面７０が表示されるようになる（図１２中、矢印ｋ）。
【００５２】
図９に示すように、メニュー画面７４は、その中段７５ｂに示される項目中、Ｅメールの項目が反転表示しているが、このように反転表示している項目が指定されているものであることを、ユーザーに認識させるようになっている。ユーザーは、これを確認してから下段中央の案内表示７４ｂに従って、３方向レバー４４をセンター位置で押下することにより、表示面１２に、図１０に示すＥメールメニュー画面７６を表示させることができる（図１２中、矢印ｌ）。
【００５３】
なお、図９に示すメニュー画面７４が表示されている状態から、ｗｅｂ等のＥメール以外の機能を利用したい場合には、３方向レバー４４で上下方向の操作をして（図５中、矢印ｃ及び矢印ｄ）、該当する項目を反転表示させ、次いで下段中央の案内表示７４ｂに従って３方向レバー４４をセンター位置で押下することにより、反転表示させた機能のメニュー項目を閲覧することができるようになっている。
【００５４】
次に、図１０に示すＥメールメニュー画面７６が表示されている状態で、その下段左側の案内表示７６ａに従って、サイドキー４２を押下した場合には、再び表示面１２には、図９に示すメニュー画面７４が表示されるようになる（図１２中、矢印ｍ）。
【００５５】
図１０に示すＥメールメニュー画面７６においては、その中段７７ｂに示される項目中、新規作成の項目が反転表示しているが、このように反転表示している項目が指定されているものであり、この状態で下段中央の案内表示７４ｂに従い３方向レバー４４をセンター位置で押下することにより、Ｅメールの作成をする画面に遷移することができることは、図９に示すメニュー画面７４についての操作と同様である。
【００５６】
また、表示面１２にＥメールメニュー画面７６が表示されている状態から、「新規作成」以外の機能を利用する場合には、３方向レバー４４で上下方向の操作をして（図５中、矢印ｃ及び矢印ｄ）、該当する項目を反転表示させればよく、この操作は、図９に示すメニュー画面７４においてＥメール以外の項目を反転表示させる場合と同様である。
【００５７】
このように、表示面１２に表示される各種の画面の下段７１ｃ，７３ｃ，７５ｃ，７７ｃ，７９ｃには、サイドキー４２及び３方向レバー４４に対応する案内表示が表示されるので、ユーザーは、図１２に示さない他の機能の画面に遷移させる場合にも、混乱することなく操作することができ、その操作を覚える必要もない。
【００５８】
なお、図１２の遷移図から明らかなように、表示面１２に表示される画面の１段階前の画面を表示させるための操作は、サイドキー４２を押下することにより行うが（図中、矢印ｇ，ｉ，ｋ，ｍ）、待受け画面７０からは、さらに１段階前の画面に戻すことがあり得ないので、アドレス帳画面７２に遷移させるための機能を割り当てることができる（図７の案内表示７０ａ、図１２の矢印ｆ）。
【００５９】
次に、図１１に示すアラーム画面７８についての操作について説明する。アラーム画面７８は、ユーザーの操作により表示されるものではなく、所定時刻になるとアラーム音の発生と共に中段７９ｂに示すような画面が表示されるものである。このような場合でも、ユーザーは、アラーム画面７８の下段中央に表示される案内表示７８ｂに従い、３方向レバー４４をセンター位置で押下して、アラーム音の発生を停止させることができる。また、サイドキー４２に対応する案内表示７８ａには、何も記載されていないので、サイドキー４２を押下しても、その操作は無効であることが分かる。
【００６０】
以上のように、表示面１２に表示される各種画面の下段７１ｃ，７３ｃ，７５ｃ，７７ｃ，７９ｃに、サイドキー４２及び３方向レバー４４のそれぞれに対応する案内表示を表示するようにしたので、ユーザーは、混乱することなく簡単に操作することができる。
【００６１】
なお、本発明は、表示面に表示される各種画面の下段７１ｃ，７３ｃ，７５ｃ，７７ｃ，７９ｃにサイドキー４２及び３方向レバー４４に対応する案内表示を表示するようにしたが、その表示位置は画面の下段７１ｃ，７３ｃ，７５ｃ，７７ｃ，７９ｃに限るものではなく、上段７１ａ，７３ａ，７５ａ，７７ａ，７９ａや、或は画面側部に縦表示させるなど、他の位置に表示するようにしてもよい。
【００６２】
また、重ね型携帯電話機の筐体の側面に設けられる補助操作部は、サイドキー４２と３方向レバー４４の組み合わせに限るものではなく、表示面に表示される案内表示と対応させることができるものであれば、キーの種類や個数を変更して配置するようにしてもよい。
【００６３】
また、図１乃至図４に示す重ね型携帯電話機３０では、補助操作部を第１筐体３２及び第２筐体３４の各側面３８，４０に配置した例を示したが、これ以外に第１筐体３２の表示部１１が配置された面や第２筐体３４の主操作部１６が配置された面と隣り合う端面など、閉状態にて第１筐体３２と第２筐体３４の互いに対向する面以外の面に配置してあれば良い。ただし、閉状態における片手での操作性を考慮すると、補助操作部は第１筐体３２の表示部１１が配置される面と隣り合う側面及び／又は第２筐体３４の主操作部１６が配置される面と隣り合う側面に設けることが好ましい。
【００６４】
また、本発明は、重ね型携帯端末装置が３つ以上の筐体により構成されている場合であっても、同様の技術的思想に基づいて適用することができることはいうまでもない。
【００６５】
さらに、上記実施の形態においては携帯電話機について説明したが、本発明は、ＰＤＡ等の他のどのような種類の携帯端末装置にも同様に適用することができる。
【００６６】
【発明の効果】
以上に説明したように、本発明に係る重ね型携帯端末装置によれば、２つの筐体を重ねると主操作部を操作できなくなるような場合に、ユーザーがその操作方法を覚えていなくとも、表示面の案内表示に従って、筐体に設けた補助操作部のキーにより容易に重ね型携帯端末装置の各種機能を操作することができる。
【００６７】
特に、案内表示を表示面の所定領域又は同一位置に表示させるようにすることで、ユーザーは案内表示の場所を容易に認識することができるため、案内表示をいちいち探す必要がないので好ましい。
【００６８】
また、重ね型携帯端末装置の各種の異なる機能毎に、補助操作部の役割が異なるような場合にも、表示面の案内表示に従って、ユーザーは混乱することなく操作をすることができる。
【図面の簡単な説明】
【図１】本発明の一実施の形態に係る重ね型携帯電話機３０を示す正面図である。
【図２】図１における重ね型携帯電話機３０の左側面図である。
【図３】図１における重ね型携帯電話機３０を開いた状態を示す正面図である。
【図４】図１における重ね型携帯電話機３０を開いた状態を示す背面図である。
【図５】図１における３方向レバー４４を示す部分拡大図である。
【図６】図１における重ね型携帯電話機３０の回路図である。
【図７】図１における重ね型携帯電話機３０の表示面１２に表示される待受け画面７０を示す図である。
【図８】図１における重ね型携帯電話機３０の表示面１２に表示されるアドレス帳画面７２を示す図である。
【図９】図１における重ね型携帯電話機３０の表示面１２に表示されるメニュー画面７４を示す図である。
【図１０】図１における重ね型携帯電話機３０の表示面１２に表示されるＥメールメニュー画面７６を示す図である。
【図１１】図１における重ね型携帯電話機３０の表示面１２に表示されるアラーム画面７８を示す図である。
【図１２】図１における重ね型携帯電話機３０の表示面１２に表示される各種画面の遷移図である。
【図１３】従来の折り畳み型携帯電話機２を示す斜視図である。
【符号の説明】
２　折り畳み型携帯電話機
４，６　筐体
１０　内側面
１１　表示部
１２　画像表示面
１３ａ，１３ｂ　スピーカー
１４　内側面
１５　マイク
１６　主操作部
１８　十字キー
３０　重ね型携帯電話機
３２　第１筐体
３４　第２筐体
３６　軸
３８，４０　側面
４２　サイドキー
４４　３方向レバー
４６　カメラ
４８　鏡
５０　録画用マイク
６０　各種機能部
６２　制御部
６４　状態検出手段
７０　待受け画面
７０ａ，７０ｂ　案内表示
７１ａ　上段
７１ｂ　中段
７１ｃ　下段
７２　アドレス帳画面
７２ａ，７２ｂ　案内表示
７３ａ　上段
７３ｂ　中段
７３ｃ　下段
７４　メニュー画面
７４ａ，７４ｂ　案内表示
７５ａ　上段
７５ｂ　中段
７５ｃ　下段
７６　Ｅメールメニュー画面
７６ａ，７６ｂ　案内表示
７７ａ　上段
７７ｂ　中段
７７ｃ　下段
７８　アラーム画面
７８ａ，７８ｂ　案内表示
７９ａ　上段
７９ｂ　中段
７９ｃ　下段
【図１】
2004128675.tif 000003
【図２】
2004128675.tif 000004
【図３】
2004128675.tif 000005
【図４】
2004128675.tif 000006
【図５】
2004128675.tif 000007
【図６】
2004128675.tif 000008
【図７】
2004128675.tif 000009
【図８】
2004128675.tif 000010
【図９】
2004128675.tif 000011
【図１０】
2004128675.tif 000012
【図１１】
2004128675.tif 000013
【図１２】
2004128675.tif 000014
【図１３】
2004128675.tif 000015